(57)【特許請求の範囲】
【請求項１】
それぞれの定格電流値が異なる発光素子を順次選択制御する発光素子選択制御手段と、前記発光素子選択制御手段により選択された発光素子に直流電源から供給される電流を所定の出力電流値に変換して出力する電源供給手段と、前記電源供給手段による出力電流を消費する出力電流消費手段と、前記発光素子選択制御手段により定格電流値が大きな発光素子から、それよりも定格電流値が小さな発光素子が選択されたときに、所定の調整時間だけ前記電源供給手段による出力電流を前記出力電流消費手段に供給制御する電流消費制御手段とを備えたことを特徴とする発光素子の駆動装置。
【請求項２】
前記電源供給手段からの出力電流が前記出力電流消費手段へ供給されている間、前記発光素子選択制御手段により選択された発光素子への前記出力電流の供給が留保されることを特徴とする請求項１に記載の発光素子の駆動装置。
【請求項３】
前記発光素子選択制御手段は、定格電流値が大きな発光素子から、それよりも定格電流値が小さな発光素子が選択される回数が最も少なくなるように、前記各発光素子を順次選択制御することを特徴とする請求項１または２に記載の発光素子の駆動装置。
【請求項４】
前記発光素子選択制御手段は、前記各発光素子を、その定格電流値が低い発光素子から順に選択するとともに、定格電流値が最大の発光素子を選択した後に、定格電流値が最小の発光素子を選択することを特徴とする請求項３に記載の発光素子の駆動装置。
【請求項５】
前記電源供給手段は、前記発光素子選択制御手段により選択された発光素子の定格電流値に対応するように、前記各発光素子に出力する電流値を可変設定することを特徴とする請求項１から４の何れかに記載の発光素子の駆動装置。
【請求項６】
前記電源供給手段は、前記直流電源から供給される電流をスイッチングを繰り返すことにより前記発光素子に供給するスイッチング素子を備え、
前記発光素子選択制御手段は、前記スイッチング素子のスイッチングがオンになっている間に、前記各発光素子を選択制御することを特徴とする請求項１から５の何れかに記載の発光素子の駆動装置。
【請求項７】
前記出力電流消費手段は、一方が基準電位に接地された抵抗であることを特徴とする請求項１から６の何れかに記載の発光素子の駆動装置。
【請求項８】
それぞれの定格電流値が異なる発光素子を順次選択制御し、前記選択された発光素子に直流電源から供給される電流を所定の出力電流値に変換して出力する場合に、定格電流値が大きな発光素子から、それよりも定格電流値が小さな発光素子が選択されたときに、所定の調整時間だけ、出力電流を消費する出力電流消費手段に前記出力電流を供給制御することを特徴とする発光素子の駆動方法。
【請求項９】
請求項１から７の何れかの発光素子の駆動装置を備えたことを特徴とするプロジェクタ。
【発明の詳細な説明】
【技術分野】
【０００１】
本発明は、複数の発光素子を時分割駆動する発光素子の駆動装置、発光素子の駆動方法及びプロジェクタに関する。
【背景技術】
【０００２】
従来、企画説明や商品説明等のプレゼンテーションや研究発表等の講演において、例えばパソコン（パーソナルコンピュータ）により作成した説明画像をスクリーンに拡大して投影するためプロジェクタが用いられている。前記プロジェクタにおいてカラー画像を投影する方式には、例えば色面順次（フィールドシーケンシャルカラー）方式や色画像合成方式がある。
【０００３】
前記色面順次方式は、スクリーンにＲ画像、Ｇ画像、Ｂ画像を周期的にかつ高速で切り替えて投影することにより人間の目にカラー画像を認識させる方式である。前記色面順次方式のプロジェクタとしては、パソコンから出力される画像情報を光ビームに乗せるための光変調素子としてＤＭＤ（Digital Micromirror Device）を用いるものが実用化されている。かかるプロジェクタは、光源からの光を、回転方向にＲ（赤）、Ｇ（緑）、Ｂ（青）に領域分けされたカラーホイール（色フィルタ）を介してＤＭＤに集光し、ＤＭＤが反射した光をスクリーンに投影させる構成を備え、前記カラーホイールを回転させながら、それと同期してＤＭＤをＲ画像、Ｇ画像、Ｂ画像に対応する状態に機械的に駆動し、各状態のＤＭＤが反射したＲ、Ｇ、Ｂの各色成分の画像の投影光をスクリーンに照射するようになっている。
【０００４】
また、近年においては、光源に、それぞれが、Ｒ（赤）、Ｇ（緑）、Ｂ（青）に発光する発光素子としてのＬＥＤを使用し、それらを色別に順次発光させる時分割駆動を行うことにより、前記カラーホイール等を用いることなくカラー画像を投影することが可能なプロジェクタも開発されている。
【０００５】
ところで、前記ＬＥＤを駆動するための駆動装置には、例えば、図７に示すように、ＬＥＤ８７に流れる電流値Ｉｏｕｔが一定となるように、直流電源８０から供給される電流値Ｉｉｎを変換して出力する電源供給手段が備えられている。
【０００６】
前記電源供給手段は、直流電源８０から供給される電圧を平滑化する入力平滑コンデンサ８１と、電圧を昇圧する昇圧コイル８２と、スイッチング素子８２と、前記スイッチング素子８３のオン／オフの制御を実行する制御部８４と、出力する電圧を平滑化する出力平滑コンデンサ８５と、電流の逆流を防止するための逆流防止ダイオード８６と、出力電流の大きさを電圧に変換して検出する抵抗８８とにより構成されている。
【０００７】
以下、前記電源供給手段の動作について説明する。前記制御部８４の制御により、前記スイッチング素子８３がオンされると、前記直流電源８０からの電流が前記昇圧コイル８２に供給される。そして、時間の経過とともに、前記昇圧コイル８２には、前記昇圧コイル８２に流れる電流値の２乗に比例するエネルギーが蓄積される。次に、前記スイッチング素子８３がオフされると、前記昇圧コイル８２に蓄積されたエネルギーは、前記逆流防止ダイオード８６を介して、前記出力平滑コンデンサ８５に蓄積されると同時に前記抵抗８８を通して前記ＬＥＤ８７にも供給される。ここで、前記逆流防止ダイオード８６は、前記スイッチング素子８３がオンしたときに、前記出力平滑コンデンサ８５に蓄積された電荷が、前記スイッチング素子８３を介して流出することを防止している。
【０００８】
次に、前記スイッチング素子８３がオンすると、上記同様に前記昇圧コイル８２にエネルギーの蓄積が開始されると共に、前回オフしたときに前記コンデンサ８５に蓄えられたエネルギーが放出され、前記抵抗８８を通して前記ＬＥＤ８７に供給される。この繰り返しにより前記ＬＥＤ８７には連続してエネルギーが供給され電流が流れる。
【０００９】
前記制御部８４は、前記ＬＥＤに流れる電流の大きさを、前記抵抗８８の両端に発生する電圧値により検出し、前記検出した電圧値に基づいて前記ＬＥＤ８７に供給する出力電流値Ｉｏｕｔが所定の電流値で一定となるように、前記スイッチング素子８３のオン／オフの制御を実行する。
【００１０】
そして、複数のＬＥＤを上述したように時分割駆動する場合には、例えば、前記各ＬＥＤに対して、それぞれに前記電源供給手段を設け、前記各電源供給装置を時分割で駆動するか、また或いは、前記電源供給手段の出力側に、前記ＬＥＤを順次選択する発光素子選択手段を備え、前記電源供給手段からの出力を前記各ＬＥＤに順次入力させることが考えられる。
【特許文献１】特開２００４−３１１６３５号公報
【発明の開示】
【発明が解決しようとする課題】
【００１１】
しかし、前記各ＬＥＤに対して、それぞれに前記電源供給手段を設け、前記各電源供給装置を時分割で駆動する場合には、必要とする電源供給手段の数が多くなり、その回路規模が大きくなるとともに、製造コストが高くなるという問題がある。
【００１２】
また、複数の電源供給手段の動作状態／非動作状態を切り換えて時分割駆動を行なうと、新たに選択された電源供給手段は、選択直後、内部エネルギーレベルがゼロからのスタート（コールドスタート）となる為、要求される電流を供給できるエネルギーレベルに達するまでの立上り時間が長くなり、逆に非選択となった電源は内部エネルギーをゼロまで下げるまでの立下り時間が長くなる為、瞬時に各ＬＥＤが必要とする電流状態とタイミングで切り換えることが出来ない。
【００１３】
一方、各ＬＥＤに共通の電源供給手段を用い、前記電源供給手段からの出力を前記各ＬＥＤに順次入力する場合には、回路規模や製造コストが安くなり好ましいが、例えば、Ｒ（赤）、Ｇ（緑）、Ｂ（青）に発光する各ＬＥＤにおいて、それぞれが目的とする輝度で発光するための定格電流値は、それぞれ異なっている。そして、前記電源供給手段は、図８（ａ）に示すように、前記スイッチング素子８３のオン／オフ動作により、前記昇圧コイルに蓄積されるエネルギーレベルを徐々に増加させる事によりその出力電流値を徐々に増加させていくいため、目的の出力電流値となるように昇圧を開始してから前記目的の出力電流値に至るまでの応答速度が遅い。
【００１４】
このため、前記各ＬＥＤを発光させるタイミング毎に、発光タイミングにあるＬＥＤに対応させて、それに供給する電流値も可変させる必要があるが、前記各ＬＥＤは、その点滅状態が視認できない程度の短い周期で時分割駆動しているため、図８（ｂ）、図８（ｃ）に示すように、ＬＥＤの点灯時間と比較して、定格電流値に安定するまでの時間が長くなり、安定した発光状態を得ることが難しいという問題があった。
【００１５】
本発明は、上述した従来欠点に鑑み、それぞれの定格電流値が異なる発光素子を共通の電源供給手段により電源を供給しながらも、前記各発光素子を時分割駆動により安定して発光させることが可能な発光素子の駆動装置、発光素子の駆動方法及びプロジェクタを提供する点にある。
【課題を解決するための手段】
【００１６】
上述の目的を達成するため、本発明による発光素子の駆動装置の第一の特徴構成は、それぞれの定格電流値が異なる発光素子を順次選択制御する発光素子選択制御手段と、前記発光素子選択制御手段により選択された発光素子に直流電源から供給される電流を所定の出力電流値に変換して出力する電源供給手段と、前記電源供給手段による出力電流を消費する出力電流消費手段と、前記発光素子選択制御手段により定格電流値が大きな発光素子から、それよりも定格電流値が小さな発光素子が選択されたときに、所定の調整時間だけ前記電源供給手段による出力電流を前記出力電流消費手段に供給制御する電流消費制御手段とを備えたことを特徴とする点にある。
【００１８】
同発光素子の駆動装置の第二の特徴構成は、上述の第一の特徴構成に加え、前記電源供給手段からの出力電流が前記出力電流消費手段へ供給されている間、前記発光素子選択制御手段により選択された発光素子への前記出力電流の供給が留保されることを特徴とする点にある。
【００１９】
同発光素子の駆動装置の第三の特徴構成は、上述の第一または第二の特徴構成に加え、前記発光素子選択制御手段は、定格電流値が大きな発光素子から、それよりも定格電流値が小さな発光素子が選択される回数が最も少なくなるように、前記各発光素子を順次選択制御することを特徴とする点にある。
【００２０】
同発光素子の駆動装置の第四の特徴構成は、上述の第三の特徴構成に加え、前記発光素子選択制御手段は、前記各発光素子を、その定格電流値が低い発光素子から順に選択するとともに、定格電流値が最大の発光素子を選択した後に、定格電流値が最小の発光素子を選択することを特徴とする点にある。
【００２１】
同発光素子の駆動装置の第五の特徴構成は、上述の第一から第四の何れかの特徴構成に加え、前記電源供給手段は、前記発光素子選択制御手段により選択された発光素子の定格電流値に対応するように、前記各発光素子に出力する電流値を可変設定することを特徴とする点にある。
【００２２】
同発光素子の駆動装置の第六の特徴構成は、上述の第一から第五の何れかの特徴構成に加え、前記電源供給手段は、前記直流電源から供給される電流をスイッチングを繰り返すことにより前記発光素子に供給するスイッチング素子を備え、前記発光素子選択制御手段は、前記スイッチング素子のスイッチングがオンになっている間に、前記各発光素子を選択制御することを特徴とする点にある。
【００２３】
同発光素子の駆動装置の第七の特徴構成は、上述の第一から第六の何れかの特徴構成に加え、前記出力電流消費手段は、一方が基準電位に接地された抵抗であることを特徴とする点にある。
【００２４】
同発光素子の駆動方法の第一の特徴構成は、それぞれの定格電流値が異なる発光素子を順次選択制御し、前記選択された発光素子に直流電源から供給される電流を所定の出力電流値に変換して出力する場合に、定格電流値が大きな発光素子から、それよりも定格電流値が小さな発光素子が選択されたときに、所定の調整時間だけ、出力電流を消費する出力電流消費手段に前記出力電流を供給制御することを特徴とする点にある。
【００２５】
プロジェクタの第一の特徴構成は、上述の第一から第七の何れかの特徴構成の発光素子の駆動装置を備えたことを特徴とする点にある。
【発明の効果】
【００２６】
本発明によれば、それぞれの定格電流値が異なる発光素子を共通の電源供給手段により電源を供給しながらも、前記各発光素子を時分割駆動により安定して発光させることが可能な発光素子の駆動装置、発光素子の駆動方法及びプロジェクタを提供することができるようになった。
【発明を実施するための最良の形態】
【００２７】
以下、本発明の実施形態について説明する。尚、本実施形態では、それぞれが、Ｒ、Ｇ、Ｂに発光する定格電流値の異なる３個の発光素子としてのＬＥＤ１０Ｒ、１０Ｇ、１０Ｂを所定の周期で時分割して駆動する場合について説明するが、発光色はＲ、Ｇ、Ｂに限定するものではなく、また、ＬＥＤの数も３個に限定するものでもない。
【００２８】
発光素子の駆動装置１は、例えばパソコンにより作成した説明画像などをスクリーンに拡大して投影するためプロジェクタに備えられ、その機能ブロック構成は、図１に示すように、前記ＬＥＤ１０Ｒ、１０Ｇ、１０Ｂを順次選択制御する発光素子選択制御手段１１と、前記発光素子選択制御手段１１により選択された発光素子に直流電源１２から供給される電流Ｉｉｎを所定の出力電流値Ｉｏｕｔに変換して出力する電源供給手段１３と、前記電源供給手段１３による出力電流Ｉｏｕｔを消費する出力電流消費手段１４と、前記発光素子選択制御手段１１により所定の発光素子が選択されたときに、所定の調整時間だけ、前記電源供給手段１３による出力電流Ｉｏｕｔを前記出力電流消費手段１４に供給制御する電流消費制御手段１５を含んで構成されている。
【００２９】
前記発光素子選択制御手段１１は、前記各ＬＥＤ１０Ｒ、１０Ｇ、１０Ｂに対応したスイッチング素子１６Ｒ、１６Ｇ、１６Ｂを順次オン／オフ制御することにより、前記電源供給手段１３から出力される電流の供給先となるＬＥＤを選択制御する。
【００３０】
このとき、前記発光素子選択制御手段１１は、例えば、スイッチング素子１６Ｒ、１６Ｇ、１６Ｂの遅延などにより、異なる色のＬＥＤが同時にオン状態になることのないように前記各スイッチング素子１６Ｒ、１６Ｇ、１６Ｂのオン／オフ制御タイミングを微調整しながらそれを実行する。
【００３１】
また、前記各ＬＥＤ１０Ｒ、１０Ｇ、１０Ｂにおいて、目的の輝度に発光させるための定格電流値が、例えば、Ｂ（青）に発光するＬＥＤ１０Ｂ、Ｒ（赤）に発光するＬＥＤ１０Ｒ、Ｇ（緑）に発光するＬＥＤ１０Ｇの順に大きくなっているときには、前記発光素子選択制御手段１１は、図２に示すように、所定の周期Ｔｉで、前記ＬＥＤ１０Ｂ、前記ＬＥＤ１０Ｒ、前記ＬＥＤ１０Ｇの順に、前記電源供給手段１３から出力される電流が順次供給されるように前記各スイッチング素子１６Ｒ、１６Ｇ、１６Ｂのオン／オフ制御を実施する。
【００３２】
つまり、前記発光素子選択制御手段１１は、定格電流値が大きなＬＥＤから、それよりも定格電流値が小さなＬＥＤが選択される回数が少なくなるように、そして、前記各ＬＥＤ１０Ｒ、１０Ｇ、１０Ｂが所定の周期Ｔｉ、例えば、２．８ｍｓで時分割駆動されるように、前記各スイッチング素子１６Ｒ、１６Ｇ、１６Ｂのオン／オフ制御を実施する。
【００３３】
前記電源供給手段１３は、直流電源１２から供給される電圧を平滑化する入力平滑コンデンサ１７と、電圧を昇圧する昇圧コイル１８と、スイッチング素子１９と、前記スイッチング素子１９のオン／オフの制御を実行する昇圧制御部２０と、出力する電圧を平滑化する出力平滑コンデンサ２１と、電流の逆流を防止するための逆流防止ダイオード２２と、出力流の大きさを電圧に変換して検出する検出用抵抗２３と、出力電流値を可変設定するための可変設定部２４とを備えて構成されている。
【００３４】
前記電源供給手段１３では、前記昇圧制御部２０の制御により、前記スイッチング素子１９がオンにされると、前記直流電源１２からの電流が前記昇圧コイル１８に供給される。そして、時間の経過とともに、前記昇圧コイル１８には、前記昇圧コイル１８に流れる電流値の２乗に比例するエネルギーが蓄積される。
【００３５】
この状態で、前記昇圧制御部２０が前記スイッチング素子１９をオフすると、前記昇圧コイル１８に蓄積されたエネルギーは、前記逆流防止ダイオード２２を介して前記出力平滑コンデンサ２１に蓄積されると同時に前記抵抗２３を通して前記ＬＥＤ１０Ｒ、１０Ｇ、１０Ｂ、前記出力電流消費手段１４の内その時選択されているものにも供給される。
【００３６】
ここで、前記逆流防止ダイオード２２は、前記スイッチング素子１９がオンしたときに、前記出力平滑コンデンサ２１に蓄積された電荷が、前記スイッチング素子１９を介して流出することを防止している。
【００３７】
次に、前記スイッチング素子１９がオンすると、上記同様に前記昇圧コイル１８にエネルギーの蓄積が開始されると共に、前回オフしたときに前記コンデンサ２１に蓄えられたエネルギーが放出され、前記抵抗２３を通して前記ＬＥＤ１０Ｒ、１０Ｇ、１０Ｂ、前記出力電流消費手段１４の内その時選択されているものにも供給される。
【００３８】
この繰り返しにより負荷側に連続してエネルギーが供給され、電流Ｉｏｕｔが連続して流れる。
【００３９】
また、前記昇圧制御部２０は、前記出力電流Ｉｏｕｔの大きさを、前記抵抗２３の両端に発生する電圧値により検出し、前記検出した電圧値に基づいて前記各ＬＥＤ１０Ｒ、１０Ｇ、１０Ｂに供給する出力電流値Ｉｏｕｔが所定の設定電流値で一定となるように、前記スイッチング素子１９のオン／オフ制御を実行する。
【００４０】
尚、前記スイッチング素子１９のオン／オフの周期は、負荷側に供給必要なエネルギー量にもよるが、大凡、数十μｓ以下のオーダーであり、前記ＬＥＤの時分割駆動の周期Ｔｉに比べて十分に早い周期で駆動されている。
【００４１】
しかし、前記昇圧制御部２０は、前記スイッチング素子１９がオフしている間に、前記昇圧コイル１８に蓄えられたエネルギーを出力側に放出するため、このとき切り換えによる一時的な軽負荷状態が発生すると、出力電圧が大きく上昇して周辺回路にダメージを与える場合がある。このため、前記発光素子選択制御手段１１は、前記各スイッチング素子１６Ｒ、１６Ｇ、１６Ｂによる前記電源供給手段１３に接続されるＬＥＤの切り替えタイミングＳＷｌｅｄを、図３に示すように、前記スイッチング素子１９がオン状態ＣＯｏｎにあるときに実施するように、その切り替えタイミングＳＷｌｅｄを微調整することが好ましく、更には、前記スイッチング素子１９がオン状態ＣＯｏｎの期間内に切り替えを完了するように、その切り替えタイミングＳＷｌｅｄを微調整することが好ましい。
【００４２】
更に、前記昇圧制御部２０は、前記各ＬＥＤ１０Ｒ、１０Ｇ、１０Ｂにおける定格電流値に対応するように、前記可変設定部２４により前記設定電流値を可変設定する。
【００４３】
詳述すると、前記可変設定部２４は、前記各ＬＥＤ１０Ｒ、１０Ｇ、１０Ｂに対応した抵抗２５Ｒ、２５Ｇ、２５Ｂと、前記各抵抗２５Ｒ、２５Ｇ、２５Ｂに対応したスイッチング素子２６Ｒ、２６Ｇ、２６Ｂを備えて構成されている。
【００４４】
前記各抵抗２５Ｒ、２５Ｇ、２５Ｂは、それぞれに対応したＬＥＤの切り換えタイミングに合わせて前記スイッチング素子２６Ｒ、２６Ｇ、２６Ｂによりその一端が基準電位に接地され、前記基準電位に接地された抵抗に流れる電流Ｉｒに比例した値の電流が、当該抵抗に対応したＬＥＤに流れるように調整されるもので、前記各抵抗２５Ｒ、２５Ｇ、２５Ｂは、前記各ＬＥＤ１０Ｒ、１０Ｇ、１０Ｂに出力させる電流Ｉｏｕｔが、それぞれに対応した前記定格電流値と等しい電流値となるようにその抵抗値が設定されている。
【００４５】
そして、前記昇圧制御部２０は、前記発光素子選択制御手段１１による前記各ＬＥＤ１０Ｒ、１０Ｇ、１０Ｂの選択制御に同期して、前記スイッチング素子２６Ｒ、２６Ｇ、２６Ｂのオン／オフ制御を実施することにより、当該電源供給手段１３が電流を供給しているＬＥＤに対応する抵抗を基準電位に接地させる。
【００４６】
つまり、前記昇圧制御部２０は、当該電源供給手段１３が電流を供給する際に、当該電源供給手段１３が電流を供給するＬＥＤに対応した抵抗を基準電位に接地することにより、前記ＬＥＤの定格電流値に対応した設定電流値を設定して、当該電源供給手段１３が出力する電流値が前記設定電流値となるように制御する。
【００４７】
前記電流消費制御手段１５は、前記発光素子選択制御手段１１により、定格電流値が大きなＬＥＤから、それよりも定格電流値が小さなＬＥＤが選択されたときに、前記所定の調整時間だけ、スイッチング素子２７をオン状態にして、前記出力電流消費手段１４の一端を基準電位ＧＮＤに接地し、前記電源供給手段１３による出力電流Ｉｏｕｔを前記出力電流消費手段１４を通して基準電位ＧＮＤに向けて電流を消費する。
【００４８】
詳述すると、前記電源供給手段１３は、上述したように、前記可変設定部２４における抵抗の設定により、当該電源供給手段１３から出力される電流値が、前記各ＬＥＤに対応した定格電流値となるように制御を行っている。そして、前記昇圧コイル１８の電流レベルは、前記定格電流値に対応したエネルギーの大きさを伝達できる電流レベルまで上昇している。
【００４９】
しかし、前記発光素子選択制御手段１１により、定格電流値が大きなＬＥＤから、それよりも定格電流値が小さなＬＥＤが選択されたときには、その切り替え時において、前記昇圧コイル１８の電流レベルは、前記定格電流値が小さなＬＥＤとっては過剰な大きさのエネルギーを伝達できる電流レベルまで上昇している。
【００５０】
具体的に上述した例では、前記発光素子選択制御手段１１により、前記Ｇ（緑）に発光するＬＥＤ１０Ｇから、前記Ｂ（青）に発光するＬＥＤ１０Ｂが選択されたときには、その切り替え時において、前記昇圧コイル１８は、前記Ｂ（青）に発光するＬＥＤ１０Ｂにとっては過剰な大きさのエネルギーを伝達できる電流レベルまで上昇している。
【００５１】
そして、前記一方が基準電位ＧＮＤに接地されている抵抗１４は、前記発光素子選択制御手段１１により、定格電流値が大きなＬＥＤから、それよりも定格電流値が小さなＬＥＤが選択されたときに、その切り替え時において、前記定格電流値が小さなＬＥＤにとって前記昇圧コイル１８の過剰に上昇した電流レベルにより発生する余剰のエネルギー放出分を、当該抵抗１４を介して速やかに消費させるためのもので、前記過剰に上昇した電流レベルを速やかに下降させることが可能なように、その抵抗値が設定されている。
【００５２】
尚、前記電流消費制御手段１５には、前記抵抗１４が前記過剰に上昇した電流レベルを、更に過剰に降下させてしまわないように、図４（ａ）に示すように、前記抵抗１４の抵抗値ｒに応じた調整時間Ｔａｄが記憶され、図４（ｂ）に示すように、前記発光素子選択制御手段１１により、定格電流値が大きなＬＥＤから、それよりも定格電流値が小さなＬＥＤが選択されたときに、前記調整時間Ｔａｄだけ、前記スイッチング素子２７をオン状態にして、前記出力電流Ｉｏｕｔを前記抵抗１４に供給する。
【００５３】
つまり、上述した発光素子の駆動装置１は、時分割で切り替わる前記電源供給手段１３の出力対象である前記各ＬＥＤ１０Ｒ、１０Ｇ、１０Ｂにおいて、その定格電流値が増加側に変化するときには、定格電流値の低いＬＥＤから高いＬＥＤへ順に切り替えることで、図５に示すように、遷移前の定格電流値と、遷移後の定格電流値との差分ΔＩを小さくして、前記昇圧コイル１８の電流レベルの変化を小さくする事で次の定格電流値に安定するまでの時間Ｒｕｐを短縮させることができる。また、その定格電流値が減少側に変化するときには、前記抵抗１４により過剰となっている電流レベルを速やかに下げることによって、次の定格電流値に安定するまでの時間Ｒｄｏｗｎを短縮させることができる。そして、このことにより、それぞれの定格電流値が異なる発光素子を共通の電源供給手段により電源を供給しながらも、前記各発光素子を時分割駆動により安定して発光させることが可能となる。
【００５４】
以下、別の実施形態について説明する。上述の実施形態では、前記発光素子選択制御手段１１により、定格電流値が大きなＬＥＤから、それよりも定格電流値が小さなＬＥＤが選択されたときに、前記電流消費制御手段１５が、前記調整時間Ｔａｄだけ、前記スイッチング素子２７をオン状態にして、前記出力電流Ｉｏｕｔを前記抵抗１４に供給する構成について説明したが、図６に示すように、前記電流消費制御手段１５が、前記調整時間Ｔａｄだけ、前記スイッチング素子２７をオン状態にして、前記出力電流Ｉｏｕｔを前記抵抗１４に供給する間、前記発光素子選択制御手段１１は、選択した前記定格電流値が小さなＬＥＤに対応したスイッチング素子に対して、オン状態に切り替えることを留保する構成としてもよい。前記定格電流値が小さなＬＥＤに、それに対応した定格電流よりも大きな電流が流れることを防止することで、前記定格電流値が小さなＬＥＤの劣化が早まることを防止することができる。
【００５５】
上述の実施形態では、発光素子の駆動装置をプロジェクタに適用した場合について説明したが、これに限定するものではなく、ＬＥＤを光源とする直視型の液晶ディスプレイなどにも適用することができる。
【図面の簡単な説明】
【００５６】
【図１】発光素子の駆動装置の説明図
【図２】時分割駆動の説明図
【図３】スイッチング素子間の切り替えタイミングの説明図
【図４】（ａ）抵抗値と調整時間との関係の説明図、（ｂ）出力電流消費手段に出力電流を供給するタイミングの説明図
【図５】応答速度の改善例の説明図
【図６】別実施形態における出力電流消費手段に出力電流を供給するタイミングの説明図
【図７】従来技術における電源供給手段の説明図
【図８】（ａ）電源供給手段における応答速度の説明図、（ｂ）時分割駆動時における応答速度の説明図、（ｃ）時分割駆動時における応答速度の説明図
【符号の説明】
【００５７】
１：発光素子の駆動装置
１０Ｒ、１０Ｇ、１０Ｂ：発光素子（ＬＥＤ）
１１：発光素子選択制御手段
１２：直流電源
１３：電源供給手段
１４：出力電流消費手段
１５：電流消費制御手段
２４：可変設定部
【図１】
0004595869.tif 000002
【図２】
0004595869.tif 000003
【図３】
0004595869.tif 000004
【図４】
0004595869.tif 000005
【図５】
0004595869.tif 000006
【図６】
0004595869.tif 000007
【図７】
0004595869.tif 000008
【図８】
0004595869.tif 000009